(57)【特許請求の範囲】
【請求項１】
上下に分離可能な複数の円筒状の分割篩枠からなる篩枠体と、前記篩枠体に組み込まれる網具とを備え、前記網具上に投下された分級対象の粉体に対し前記篩枠体を介して振動を与えて篩い分けるようにした振動篩機であって、
前記網具は、
外周面が前記分割篩枠の径方向外側に向けて露出するように前記分割篩枠によって挟持される円環状の網具フレームと、
前記網具フレームに張設される補強網と、
前記補強網を覆うとともに前記網具フレームの外周面に垂れ掛けるように被せられる篩過網と、
前記網具フレームの外周面との間に前記篩過網を挟み込むように前記網具フレームの外周面側に装着される締付バンドとを備えてなり、
前記網具フレームは、断面四角環状の角パイプ材を円環状に曲成してなるもの、又は断面Ｌ字形のアングル材を円環状に曲成してなるものであり、且つ前記分割篩枠によって挟持される被挟持面部が、当該網具フレームの中心側から径方向外側に向かって上向きに傾斜するような反りを有する形状に形成されている振動篩機。
【請求項２】
上下に分離可能な複数の円筒状の分割篩枠からなる篩枠体と、前記篩枠体に組み込まれる網具とを備え、前記網具上に投下された分級対象の粉体に対し前記篩枠体を介して振動を与えて篩い分けるようにした振動篩機であって、
前記網具は、
外周面が前記分割篩枠の径方向外側に向けて露出するように前記分割篩枠によって挟持される円環状の網具フレームと、
前記網具フレームに張設される補強網と、
前記補強網を覆うとともに前記網具フレームの外周面に垂れ掛けるように被せられる篩過網と、
前記網具フレームの外周面との間に前記篩過網を挟み込むように前記網具フレームの外周面側に装着される締付バンドとを備えてなり、
前記網具フレームは、上下方向に所定間隔をあけて配されて前記分割篩枠によって挟持される上側円環状板面部及び下側円環状板面部と、前記上側円環状板面部及び下側円環状板面部の外周縁同士を連結する外側円筒部と、前記上側円環状板面部及び下側円環状板面部の内周縁同士を連結する内側円筒部とを有し、断面四角環状の角パイプ材を円環状に曲成してなるものであり、且つ前記上側円環状板面部及び下側円環状板面部が、当該網具フレームの中心側から径方向外側に向かって上向きに傾斜するような反りを有する形状に形成されている振動篩機。
【請求項３】
上下に分離可能な複数の円筒状の分割篩枠からなる篩枠体と、前記篩枠体に組み込まれる網具とを備え、前記網具上に投下された分級対象の粉体に対し前記篩枠体を介して振動を与えて篩い分けるようにした振動篩機であって、
前記網具は、
外周面が前記分割篩枠の径方向外側に向けて露出するように前記分割篩枠によって挟持される円環状の網具フレームと、
前記網具フレームに張設される補強網と、
前記補強網を覆うとともに前記網具フレームの外周面に垂れ掛けるように被せられる篩過網と、
前記網具フレームの外周面との間に前記篩過網を挟み込むように前記網具フレームの外周面側に装着される締付バンドとを備えてなり、
前記網具フレームは、前記分割篩枠によって挟持される円環状板面部と、前記円環状板面部の外周縁から下方に突設される外側円筒部とを有し、断面Ｌ字形のアングル材を円環状に曲成してなるものであり、且つ前記円環状板面部が、当該網具フレームの中心側から径方向外側に向かって上向きに傾斜するような反りを有する形状に形成されている振動篩機。
【請求項４】
前記締付バンドは、前記網具フレームの外周面との間に前記篩過網を挟み込むように前記網具フレームの外周面側に巻かれるバンド部材と、前記バンド部材の外周面側に付設され、前記バンド部材のバンド径の大きさを調節するバンド径調節機構とを備えてなる請求項１〜３の何れか一項に記載の振動篩機。
【請求項５】
前記バンド径調節機構は、前記バンド部材の一端側に取り付けられるハウジングと、前記ハウジングに回転自在に支承され、前記ハウジングの内部に配されるウォーム歯を有するスピンドルと、前記バンド部材の他端側に前記ウォーム歯と噛合するように形成される複数のウォーム溝とを備えてなり、前記ウォーム歯と前記ウォーム溝との噛合を解除するように前記スピンドルを操作することにより、前記網具フレームに対し前記締付バンドが取り外し可能に構成される請求項４に記載の振動篩機。
【請求項６】
前記分割篩枠は、上下に互いに隣接する上側分割篩枠及び下側分割篩枠を含み、
前記上側分割篩枠は、その本体部分を構成する上側分割篩枠本体の下端部から径方向外側に張り出すフランジ部を有し、
前記下側分割篩枠は、その本体部分を構成する下側分割篩枠本体の上端部から径方向外側に張り出すフランジ部を有し、
前記上側分割篩枠及び前記下側分割篩枠におけるそれぞれの前記フランジ部によって前記網具フレームが挟持される請求項１〜５の何れか一項に記載の振動篩機。
【請求項７】
前記上側分割篩枠及び前記下側分割篩枠におけるそれぞれの前記フランジ部には、前記網具と密着するようにパッキンが装着される請求項６に記載の振動篩機。
【請求項８】
前記網具フレームの外径は４００〜１１４０ｍｍであり、前記網具フレームの内径は３５２〜１０８０ｍｍであり、
前記網具フレームにおける前記反りの大きさは、前記被挟持面部における前記網具フレームの径方向の一方端側と他方端側との高低差で規定され、前記高低差が０．５〜１．５ｍｍである請求項１に記載の振動篩機。
【発明の詳細な説明】
【技術分野】
【０００１】
本発明は、例えば、医薬品、食料品、鉱産物、金属、樹脂原材料等の各種の粉体を振動により分級する振動篩機に関し、特に、機体高さを低く抑えることが可能な直下型の振動篩機に関する。
【背景技術】
【０００２】
従来、直下型の振動篩機は、架台上に複数の圧縮コイルばねを介して振動自在に支持される振動プレートを備え、この振動プレートに、網具が組み込まれる篩枠体を固定し、この篩枠体の左右両側に振動モータを配設して、左右の振動モータの作動により、網具上に投下された分級対象の粉体に対し篩枠体を介して振動を与えて篩い分けるように構成されている（特許文献１を参照）。
【先行技術文献】
【特許文献】
【０００３】
【特許文献１】実用新案登録第３１８８４６０号公報
【０００４】
図１１に示されるように、上記特許文献１に係る振動篩機１００において、篩枠体１０１は、上下に分離可能な上側分割篩枠１０１ａと下側分割篩枠１０１ｂとからなり、上側分割篩枠１０１ａと下側分割篩枠１０１ｂとの境界近傍に位置するように網具１０２が篩枠体１０１の内部に配設されている。【０００５】
網具１０２は、円環状の網具フレーム１０４に補強網１０５を張設してなる網具本体１０３に、補強網１０５を覆うとともに網具フレーム１０４の外周面に垂れ掛けるように篩過網１０６を被せ、網具フレーム１０４の外周面との間に篩過網１０６を挟み込むように網具フレーム１０４の外周面側に装着される締付バンド１０７によって篩過網１０６を網具本体１０３に緊縛・固定してなるものである。
【発明の概要】
【発明が解決しようとする課題】
【０００６】
しかしながら、従来の振動篩機１００では、分級対象の粉体の篩い分けに実質的に機能しない網具フレーム１０４が完全に篩枠体１０１（上側分割篩枠１０１ａ）の枠内に配されるため、粉体の篩い分けに実質的に機能する補強網１０５及び篩過網１０６の有効面積が、篩枠体１０１の枠内に配された網具フレーム１０４の分だけ減ることになり、分級対象の粉体を効率良く篩い分けることができないという問題点がある。また、篩枠体１０１に網具１０２を組み込む際に、網具１０２の締付バンド１０７が篩枠体１０１に干渉する虞があるという問題点がある。【０００７】
本発明は、上記の課題に鑑みてなされたものであり、分級対象の粉体を従来よりも効率良く篩い分けることができるとともに、締付バンドが篩枠体に干渉することなく網具を篩枠体に組み込むことができる振動篩機を提供することを目的とする。
【課題を解決するための手段】
【０００８】
上記課題を解決するための本発明に係る振動篩機の特徴構成は、
上下に分離可能な複数の円筒状の分割篩枠からなる篩枠体と、前記篩枠体に組み込まれる網具とを備え、前記網具上に投下された分級対象の粉体に対し前記篩枠体を介して振動を与えて篩い分けるようにした振動篩機であって、
前記網具は、
外周面が前記分割篩枠の径方向外側に向けて露出するように前記分割篩枠によって挟持される円環状の網具フレームと、
前記網具フレームに張設される補強網と、
前記補強網を覆うとともに前記網具フレームの外周面に垂れ掛けるように被せられる篩過網と、
前記網具フレームの外周面との間に前記篩過網を挟み込むように前記網具フレームの外周面側に装着される締付バンドと、
を備えることにある。【０００９】
本構成の振動篩機によれば、網具フレームがその外周面を分割篩枠の径方向外側に向けて露出するように複数の分割篩枠によって挟持されるので、分級対象の粉体の篩い分けに実質的に機能しない網具フレーム１０４が篩枠体１０１（上側分割篩枠１０１ａ）の枠内に配される構成の従来の振動篩機１００（図１１参照）と比べて、粉体の篩い分けに実質的に機能する補強網及び篩過網の有効面積が広くなるとともに、網具フレームの外周面側に装着される締付バンドが分割篩枠の径方向外側に向けて露出されることになる。従って、分級対象の粉体を従来よりも効率良く篩い分けることができるとともに、締付バンドが篩枠体に干渉することなく網具を篩枠体に組み込むことができる。【００１０】
本発明に係る振動篩機において、
前記網具フレームは、前記分割篩枠によって挟持される被挟持面部が、当該網具フレームの中心側から径方向外側に向かって上向きに傾斜するような反りを有する形状に形成されていることが好ましい。【００１１】
本構成の振動篩機によれば、反りを有する網具フレームが複数の分割篩枠によって挟持されると、反りがなくなるように網具フレームが変形し、これに伴って、篩過網の全体が網具フレームの径方向外側に引っ張られる。これにより、補強網を覆うように網具フレームに被せられた篩過網が高いテンションを保った状態で補強網に密着されて、篩過網が補強網によって安定的に支えられることになり、篩過網の分級性能が十全に発揮されるという効果を奏する。【００１２】
本発明に係る振動篩機において、
前記締付バンドは、前記網具フレームの外周面との間に前記篩過網を挟み込むように前記網具フレームの外周面側に巻かれるバンド部材と、前記バンド部材の外周面側に付設され、前記バンド部材のバンド径の大きさを調節するバンド径調節機構とを備えてなることが好ましい。【００１３】
本構成の振動篩機によれば、網具フレームの外周面との間に篩過網を挟み込むように網具フレームの外周面側に巻かれるバンド部材のバンド径の大きさがバンド径調節機構によって調節されるので、使用する篩過網のメッシュや線径の変更があっても網具フレームに篩過網を締付バンドによって容易に緊縛・固定することができる。【００１４】
本発明に係る振動篩機において、
前記バンド径調節機構は、前記バンド部材の一端側に取り付けられるハウジングと、前記ハウジングに回転自在に支承され、前記ハウジングの内部に配されるウォーム歯を有するスピンドルと、前記バンド部材の他端側に前記ウォーム歯と噛合するように形成される複数のウォーム溝とを備えてなり、前記ウォーム歯と前記ウォーム溝との噛合を解除するように前記スピンドルを操作することにより、前記網具フレームに対し前記締付バンドが取り外し可能に構成されることが好ましい。【００１５】
篩枠体に網具を組み込んで振動篩機を作動させると、篩枠体の周辺機器、例えば、上下の分割篩枠を締結する締結具等にバンド径調節機構が干渉する虞がある場合、篩枠体を分解してバンド径調節機構が締結具等に干渉しないように網具を置き直すような大掛かりな作業を要することになるが、本構成の振動篩機によれば、網具フレームに対し締付バンドのみを取り外して、バンド径調節機構が締結具等に干渉しないように装着し直すだけで、バンド径調節機構の締結具等への干渉を容易に避けることができる。【００１６】
本発明に係る振動篩機において、
前記分割篩枠は、上下に互いに隣接する上側分割篩枠及び下側分割篩枠を含み、
前記上側分割篩枠は、その本体部分を構成する上側分割篩枠本体の下端部から径方向外側に張り出すフランジ部を有し、
前記下側分割篩枠は、その本体部分を構成する下側分割篩枠本体の上端部から径方向外側に張り出すフランジ部を有し、
前記上側分割篩枠及び前記下側分割篩枠におけるそれぞれの前記フランジ部によって前記網具フレームが挟持されることが好ましい。【００１７】
本構成の振動篩機によれば、上側分割篩枠における上側分割篩枠本体の下端部から径方向外側に張り出されるフランジ部と、下側分割篩枠における下側分割篩枠本体の上端部から径方向外側に張り出されるフランジ部とによって網具フレームが上下から挟持されるので、網具フレームが完全に上下の分割篩枠本体の枠外に配される一方、分級対象の粉体の篩い分けに実質的に機能する補強網及び篩過網が上下の分割篩枠本体の枠内全域に配されることになる。これにより、粉体の篩い分けに機能する補強網及び篩過網の有効面積の最大化を図ることができ、分級対象の粉体をより効率良く篩い分けることができる。【００１８】
本発明に係る振動篩機において、
前記上側分割篩枠及び前記下側分割篩枠におけるそれぞれの前記フランジ部には、前記網具と密着するようにパッキンが装着されることが好ましい。【００１９】
本構成の振動篩機によれば、上側分割篩枠及び下側分割篩枠におけるそれぞれのフランジ部にパッキンを介して網具が密着されるので、各分割篩枠と網具との間から分級対象の粉体が漏れるのを確実に防ぐことができる。【００２０】
本発明に係る振動篩機において、
前記網具フレームは、上下方向に所定間隔をあけて配されて前記分割篩枠によって挟持される上側円環状板面部及び下側円環状板面部と、前記上側円環状板面部及び下側円環状板面部の外周縁同士を連結する外側円筒部と、前記上側円環状板面部及び下側円環状板面部の内周縁同士を連結する内側円筒部とを有し、断面四角環状の角パイプ材を円環状に曲成してなるものであることが好ましい。【００２１】
本構成の振動篩機によれば、網具の軽量化を図りつつ、分割篩枠によって挟持されても使用不可となるまで押し潰されないような強度を容易に確保することができる。【００２２】
本発明に係る振動篩機において、
前記網具フレームは、前記分割篩枠によって挟持される円環状板面部と、前記円環状板面部の外周縁から下方に突設される外側円筒部とを有し、断面Ｌ字形のアングル材を円環状に曲成してなるものであることが好ましい。【００２３】
本構成の振動篩機によれば、網具フレームにおける、構造上、中空部を有しない円環状板面部が複数の分割篩枠によって挟持されることによって網具が篩枠体に固定されるので、篩枠体に網具を固定する際に網具フレームが使用不可となるまで押し潰されるような変形を確実に防止することができ、網具フレームに緊縛・固定された篩過網のテンションが網具フレームの変形に起因して緩むのを未然に防ぐことができる。【００２４】
本発明に係る振動篩機において、
前記網具フレームの外径は４００〜１１４０ｍｍであり、前記網具フレームの内径は３５２〜１０８０ｍｍであり、
前記網具フレームにおける前記反りの大きさは、前記被挟持面部における前記網具フレームの径方向の一方端側と他方端側との高低差で規定され、前記高低差が０．５〜１．５ｍｍであることが好ましい。【００２５】
本構成の振動篩機によれば、反りを有する網具フレームが複数の分割篩枠によって挟持されて反りがなくなるまで網具フレームが変形した際に、篩過網の全体が網具フレームの径方向外側に適切な張力で引っ張られることになり、篩過網を損傷することなく高いテンションを保った状態で補強網に確実に密着させることができる。
【図面の簡単な説明】
【００２６】
【図１】本発明の第一実施形態に係る振動篩機を示し、（ａ）は平面図、（ｂ）は正面図である。
【図２】第一実施形態の振動篩機を示し、（ａ）は図１（ｂ）のＡ矢視図、（ｂ）は図１（ｂ）のＢ−Ｂ線断面図である。
【図３】図２（ｂ）のＣ部拡大図である。
【図４】第一実施形態の振動篩機で使用される網具を示し、（ａ）は篩過網の一部を破断して示す平面図、（ｂ）は（ａ）のＤ部拡大図、（ｃ）は（ｂ）のＥ矢視図である。
【図５】第一実施形態の振動篩機で使用される網具フレームを示し、（ａ）は平面図、（ｂ）は縦断面図、（ｃ）は篩過網の引張動作を説明するための模式図である。
【図６】第一実施形態の振動篩機における網換え作業手順説明図（１）である。
【図７】第一実施形態の振動篩機における網換え作業手順説明図（２）である。
【図８】第一実施形態の振動篩機における網換え作業手順説明図（３）である。
【図９】本発明の第二実施形態に係る振動篩機の要部拡大断面図である。
【図１０】第二実施形態の振動篩機で使用される網具フレームを示し、（ａ）は平面図、（ｂ）は縦断面図、（ｃ）は篩過網の引張動作を説明するための模式図である。
【図１１】従来技術の説明図である。
【発明を実施するための形態】
【００２７】
以下、本発明の振動篩機の具体的な実施の形態について、図面を参照しながら説明する。ただし、本発明は、以下に説明する実施形態や図面に記載される構成に限定されることは意図しない。
【００２８】
〔第一実施形態〕
図１には、本発明の第一実施形態に係る振動篩機を示す図で、平面図（ａ）及び正面図（ｂ）がそれぞれ示されている。また、図２には、同振動篩機を示す図で、図１（ｂ）のＡ矢視図（ａ）及び図１（ｂ）のＢ−Ｂ線断面図（ｂ）がそれぞれ示されている。
【００２９】
＜振動篩機の概略説明＞
図１（ａ）及び（ｂ）に示されるように、第一実施形態の振動篩機１Ａは、機体高さを低く抑えることが可能な直下型のもので、例えば、医薬品、食料品、鉱産物、金属、樹脂原材料等の各種の粉体を振動により分級する機能を有している。この振動篩機１Ａは、架台２の上方に配される振動プレート３を備えている。
【００３０】
＜振動プレート＞
振動プレート３は、後述する篩容器６を取り付けるための取付用孔を中央に有する平面視八角リング形状で所要厚みの板状部材からなるものである。振動プレート３と架台２との間には、振動プレート３の周方向に沿って複数（本例では１２本）の圧縮コイルばね（弾性支持体）４が所定の配置で配設されており、これらの圧縮コイルばね４によって振動プレート３が振動自在に支持されている。
【００３１】
振動プレート３には、その外周縁に沿って補強板５が設けられている。この補強板５は、振動プレート３の外周縁形状に合わせて帯状板材を折り曲げ形成してなるものであって、振動プレート３の略全周に亘って振動プレート３の下側板面から鉛直下方に突出するように固着されている。これにより、振動プレート３の重量増を抑えつつ振動プレート３の剛性を向上させることができる。従って、高出力の振動モータ３０を採用したとしても、振動プレート３が撓んだり、捩りが生じたりするのを未然に防ぐことができ、これによって高出力の振動モータ３０の採用が可能となり、分級能力の向上を図ることができる。
【００３２】
＜篩容器＞
振動プレート３の取付用孔には、篩容器６が組み付けられている。篩容器６は、主として、分級対象の粉体が投入される上下に開口した篩枠体７と、篩枠体７の上側開口に着脱可能に装着される蓋体８とにより構成されている。蓋体８の中央部には、分級対象の粉体の投入口８ａが形成されている。
【００３３】
＜篩枠体＞
図２（ａ）及び（ｂ）に示されるように、篩枠体７は、上下に分離可能な上側分割篩枠７ａと下側分割篩枠７ｂとを組み合わせて構成されている。
【００３４】
図２（ｂ）に示されるように、上側分割篩枠７ａは、上下に開口された円筒形状の上側分割篩枠本体１０と、上側分割篩枠本体１０の下端部から周方向全域に亘って径方向外側に張り出されるフランジ部１１と、上側分割篩枠本体１０の上端部から周方向全域に亘って外向きで上方に傾斜するように張り出されるテーパフランジ部１２とにより構成されている。この上側分割篩枠７ａのフランジ部１１には、全周に亘って円環状のパッキン１３が装着されている。
【００３５】
図２（ａ）に示されるように、上側分割篩枠７ａにおける前後方向の一側（図２（ａ）において左側）には、上側分割篩枠本体１０の円筒壁面から突出するように排出ダクト１４が取り付けられている。この排出ダクト１４は、分級処理の際に後述する網具４０上に残留している残留粉体を外部へと導出する役目をする。
【００３６】
図２（ｂ）に示されるように、下側分割篩枠７ｂは、下側分割篩枠本体２０と、上側分割篩枠７ａにおけるフランジ部１１に対応するように下側分割篩枠本体２０の上端部から周方向全域に亘って径方向外側に張り出されるフランジ部２１とにより構成されている。この下側分割篩枠７ｂのフランジ部２１には、全周に亘って円環状のパッキン２２が装着されている。
【００３７】
下側分割篩枠本体２０は、上下に開口された円筒形状の円筒部２５を有し、図２（ａ）に示されるように、この円筒部２５の下側に下方に向けて先細る漏斗状のシュート部２６を一体的に連設し、このシュート部２６の下側にそのシュート部２６内の粉体を下方へと落下・排出する排出口部２７を一体的に連設して構成されている。
【００３８】
＜振動モータ＞
図１（ａ）及び（ｂ）に示されるように、下側分割篩枠７ｂには、左右方向に貫通するようにビーム部材２８が配設され、このビーム部材２８の両端にそれぞれモータ取付板２９が固着され、各モータ取付板２９に振動モータ３０が取り付けられている。各振動モータ３０は、図示による詳細説明は省略するが、ロータ軸の両端部に設けられた偏心錘の回転により振動を発生させるものである。
【００３９】
図２（ａ）に示されるように、振動モータ３０においては、そのロータ軸の軸線ＳＲが水平軸線ＳＬに対してなす角度θが５５°〜６５°の範囲に設定され、本例ではθ＝６０°で傾斜配置されている。なお、左右それぞれの振動モータ３０において、一方の振動モータ３０と他方の振動モータ３０とは、互いに逆位相をなすように、つまり左右方向の一側から見たときに、鉛直面上に投影された一方の振動モータ３０と他方の振動モータ３０とが水平角度に対し左右対称（同角）で配置されている。こうして、必要な水平方向の振動成分を確保しつつ鉛直方向の振動成分を最大限確保することができ、波動運動で後述する網具４０上の粉体が激しく跳ね上げられ、後述する網４３，４４に衝突することによって、粉体粒子の凝集が解砕・分散されるため、分級能力をより向上させることができる。
【００４０】
＜蓋体と上側分割篩枠との接合構造＞
図２（ｂ）に示されるように、蓋体８の外周縁と上側分割篩枠７ａのテーパフランジ部１２との間には、両者の隙間を密封する蓋パッキン３１がリングプレート３２に支持された状態で介挿されている。蓋体８と上側分割篩枠７ａとの突合せ部分には、蓋体８の外周縁と上側分割篩枠７ａのテーパフランジ部１２とを挟むことができる断面Ｖの字状の締結バンド３３が巻き掛けられ、この締付バンド３３で緊縛することにより、蓋体８と上側分割篩枠７ａとを締結することができる一方、この締付バンド３３の緊縛を解除することにより、上側分割篩枠７ａに対して蓋体８を取り外すことができるようになっている。
【００４１】
＜網具＞
図２（ｂ）に示されるように、篩枠体７における上側分割篩枠７ａと下側分割篩枠７ｂとの間には、網具４０が組み込まれている。網具４０は、主として、網具本体４１を構成する網具フレーム４２及び補強網４３と、篩過網４４と、締付バンド４５とにより構成されている。
【００４２】
＜網具フレーム＞
図３に示されるように、網具フレーム４２は、上側円環状板面部４２ａ、下側円環状板面部４２ｂ、外側円筒部４２ｃ及び内側円筒部４２ｄを有し、断面四角環状の角パイプ材を円環状に曲成してなるものである。こうして、網具４０の軽量化を図りつつ、分割篩枠７ａ，７ｂによって挟持されても使用不可となるまで押し潰されないような強度を容易に確保することができる。
【００４３】
網具フレーム４２が分割篩枠７ａ，７ｂによって挟持される際には、上側円環状板面部４２ａが上側分割篩枠７ａのフランジ部１１に対向するとともに、下側円環状板面部４２ｂが下側分割篩枠７ｂのフランジ部２１に対向し、これら円環状板面部４２ａ，４２ｂがパッキン１３，２２を介して分割篩枠７ａ，７ｂのフランジ部１１，２１に挟持される。こうして、網具フレーム４２が完全に分割篩枠本体１０，２０の枠外に配され、分級対象の粉体の篩い分けに実質的に機能する補強網４３及び篩過網４４が上下の分割篩枠本体１０，２０の枠内全域に配されることになり、粉体の篩い分けに機能する補強網４３及び篩過網４４の有効面積の最大化を図ることができ、分級対象の粉体をより効率良く篩い分けることができる。また、分割篩枠７ａ，７ｂと網具４０との間から分級対象の粉体が漏れるのをパッキン１３，２２によって確実に防ぐことができる。なお、上側円環状板面部４２ａ及び下側円環状板面部４２ｂが、本発明の「被挟持面部」に相当する。
【００４４】
外側円筒部４２ｃは、上側円環状板面部４２ａ及び下側円環状板面部４２ｂの外周縁同士を連結し、分割篩枠７ａ，７ｂの径方向外側に臨ませるように配されている。一方、内側円筒部４２ｄは、上側円環状板面部４２ａ及び下側円環状板面部４２ｂの内周縁同士を連結し、分割篩枠７ａ，７ｂの径方向内側に臨ませるように配されている。
【００４５】
図５（ａ）に示されるように、網具フレーム４２において、外径（φＤ）は４００〜１１４０ｍｍの範囲に設定され、内径（φｄ）は３５２〜１０８０ｍｍの範囲に設定されている。
【００４６】
図５（ｂ）に示されるように、網具フレーム４２は、分割篩枠７ａ，７ｂのフランジ部１１，２１によって挟持される円環状板面部４２ａ，４２ｂが、当該網具フレーム４２の中心側から径方向外側に向かって上向きに傾斜するような反りを有する形状に形成されている。この網具フレーム４２における反りの大きさは、円環状板面部４２ａ，４２ｂにおける網具フレーム４２の径方向の一方端側と他方端側との高低差ΔＨで規定され、高低差ΔＨが０．５〜１．５ｍｍに設定されている。なお、説明の都合上、図５（ｂ）では上側円環状板面部４２ａの高低差ΔＨのみを示して網具フレーム４２の反りの大きさを規定したが、下側円環状板面部４２ｂの高低差で網具フレーム４２の反りの大きさを規定しても良い。
【００４７】
このような反りを有する網具フレーム４２が分割篩枠７ａ，７ｂのフランジ部１１，２１によって挟持されると、反りがなくなるように網具フレーム４２が変形し、これに伴って、図５（ｃ）に示されるように、篩過網４４の全体が網具フレーム４２の径方向外側に適切な張力で引っ張られる。これにより、補強網４３を覆うように網具フレーム４２に被せられた篩過網４４が損傷することなく高いテンションを保った状態で補強網４３に密着されて、篩過網４４が補強網４３によって安定的に支えられることになり、篩過網４４の分級性能が十全に発揮される。
【００４８】
＜補強網＞
図４（ａ）に示されるように、補強網４３は、網具フレーム４２の開口を塞ぐように張設され、網具フレーム４２の開口に張った状態で例えばシーム溶接等の固着手段によって内側円筒部４２ｄの上縁部に固着されている。補強網４３としては、例えばステンレス製で網目が比較的荒目のものが用いられる。
【００４９】
＜篩過網＞
篩過網４４は、補強網４３を覆うとともに補強網４３上から網具フレーム４２の外周面に垂れ掛けられるように網具本体４１に被せられている。篩過網４４としては、補強網４３よりも網目が細かいシート状の例えばナイロン製（ステンレス製でも勿論可）のものが用いられる。そして、篩過網４４を間に挟むように網具フレーム４２（外側円筒部４２ｃ）の外周面側に巻き掛けられる締付バンド４５の締め付けにより、篩過網４４が網具本体４１に緊縛・固定される一方、締付バンド４５を緩めることにより、篩過網４４を網具本体４１から取り外すことができるように、篩過網４４が網具本体４１に着脱可能に装着されている。
【００５０】
こうして、網具フレーム４２に張設される補強網４３が篩過網４４を下側から支える補強材として機能し、補強網４３を覆うように網具本体４１に着脱可能に装着される篩過網４４が粉体の分級処理に実質的に貢献する網として機能するようにされているので、篩過網４４を交換するだけで網具４０の機能回復を図る網換えを容易に行うことができる。
【００５１】
＜締付バンド＞
図４（ｂ）及び（ｃ）に示されるように、締付バンド４５は、バンド部材４６及びバンド径調節機構４７により構成されている。
【００５２】
＜バンド部材＞
バンド部材４６は、網具フレーム４２（外側円筒部４２ｃ）の外周面との間に篩過網４４を挟み込むように網具フレーム４２の外周面側に巻くことができるように環状に曲げ成形されてなり、例えばステンレス等の金属材料によって作製されている。
【００５３】
＜バンド径調節機構＞
バンド径調節機構４７は、バンド部材４６の外周面側に付設されており、ハウジング４８、スピンドル４９及び複数のウォーム溝５０を備え、バンド部材４６のバンド径の大きさを調節する機能を有している。ここで、ハウジング４８は、バンド部材４６の一端側に取り付けられている。スピンドル４９は、ハウジングに回転自在に支承される軸部を有し、軸部の外周には、ハウジング４８の内部に配される図示されないウォーム歯が形成されている。複数のウォーム溝５０は、バンド部材４６の他端側にスピンドル４９のウォーム歯と噛合するように形成されている。
【００５４】
バンド径調節機構４７においては、バンド部材４６の他端側をハウジング４８内に挿入し、ウォーム溝５０とスピンドル４９のウォーム歯とが噛合するようにスピンドル４９を操作することにより、網具フレーム４２に対し締付バンド４５が使用可能な状態となる。この状態において、スピンドル４９を例えばボルトを締めるように回転操作すると、スピンドル４９のウォーム歯とこれに噛合するウォーム溝５０とによるねじ送り作用でバンド部材４６が縮径するようにバンド部材４６の他端側が一端側に沿うように移動されて、バンド部材４６の内方に配された被緊縛物（本例では篩過網４４）が締め付けられる。こうして、使用する篩過網４４のメッシュや線径の変更があっても網具フレーム４２に篩過網４４を締付バンド４５によって容易に緊縛・固定することができる。
【００５５】
バンド径調節機構４７において、スピンドル４９のウォーム歯とウォーム溝５０との噛合を解除するようにスピンドル４９を操作することにより、網具フレーム４２に対し締付バンド４５を取り外すことができる。
【００５６】
＜上側分割篩枠と下側分割篩枠との接合構造＞
図２（ａ）及び（ｂ）に示されるように、上側分割篩枠７ａの外周面には、周方向に所定ピッチで複数の掛止ブラケット６０が突設されている。この掛止ブラケット６０は、上側分割篩枠７ａの径方向外側に開放された受入口６０ａの両側に一対の掛止部６０ｂを設けてなるものである。
【００５７】
振動プレート３の上面には、該振動プレート３側に伏臥させた伏臥状態位置と、該振動プレート３と掛止ブラケット４０との間に掛け渡すように起立される起立状態位置との間で揺動自在なスイングボルト６１が設置されている。そして、起立状態位置にある各スイングボルト６１に螺合して掛止ブラケット６０に着座するナット６２の締め付けにより、上側分割篩枠７ａと下側分割篩枠７ｂとが締結されるようになっている。
【００５８】
こうして、スイングボルト６１に対するナット６２の締め付けによって上側分割篩枠７ａと下側分割篩枠７ｂとが確実に締結されるので、高出力の振動モータ３０の採用で鉛直方向の振幅が増大したとしても、上側分割篩枠７ａと下側分割篩枠７ｂとの接合部分に緩みが生じることがなく、該緩みに起因する鉛直方向の振動運動のロスを未然に防ぐことができる。また、仮に、上側分割篩枠７ａと下側分割篩枠７ｂとの突合せ部分から篩過網４４がはみ出した状態でスイングボルト６１に対するナット６２の締め付けを行ったとしても、該突合せ部分にスイングボルト６１が直接触れて締付けている訳ではなく、該突合せ部分にスイングボルト６１からの軸力を上側分割篩枠７ａと下側分割篩枠７ｂとを介して間接的に作用させることで締め付けているので、篩過網４４を噛み込んで破損するようなことがない。
【００５９】
＜網換え作業＞
次に、第一実施形態の振動篩機１Ａにおいて、網具４０の機能回復を図る網換え作業に伴う篩過網４４の取付作業について説明する。
【００６０】
まず、図６（ａ）に示されるように、下側分割篩枠７ｂのフランジ部２１に装着されたパッキン２２上に、網具フレーム４２が下側分割篩枠本体２０（図２（ｂ）参照）と同心をなすように網具本体４１を置く。
【００６１】
次いで、図６（ａ）〜（ｂ）に示されるように、網具本体４１の補強網４３上に篩過網４４を被せ、補強網４３上から網具フレーム４２（図６（ａ）参照）の外周面側に垂れ掛けるようにした状態の篩過網４４を網具フレーム４２との間に挟むように締付バンド４５を網具フレーム４２の外周面側に巻き掛け、図６（ｂ）〜図７（ａ）に示されるように、バンド径調節機構４７のスピンドル４９を例えばボルトを締めるように締付工具６５を用いて回転操作し締付バンド４５のバンド部材４６を縮径して篩過網４４を締め付けることにより、篩過網４４を網具本体４１（網具フレーム４２）に緊縛・固定する。なお、篩過網４４において、締付バンド４５からはみ出している余分な部分は、適宜にカットする、又は折り畳んで後述する作業で上側分割篩枠７ａを置く際に、上側分割篩枠７ａの内部に収容するようにされる。
【００６２】
次いで、図７（ｂ）に示されるように、上側分割篩枠７ａのフランジ部１１に装着されたパッキン１３が篩過網４４を介して網具フレーム４２の全域に当接し、かつ上側分割篩枠本体１０が網具フレーム４２と同心をなすように、上側分割篩枠７ａを網具４０の上に置く。
【００６３】
次いで、図８（ａ）〜（ｂ）に示されるように、各スイングボルト６１を順次に起立状態位置として掛止ブラケット６０に掛け渡し、各スイングボルト６１に螺合するナット６２を締め付けていって掛止ブラケット６０に着座させ、掛止ブラケット６０に着座したナット６２を更に締め付けて、上側分割篩枠７ａと下側分割篩枠７ｂとの突合せ部分にスイングボルト６１からの軸力をそれら分割篩枠体７ａ，７ｂを介して間接的に作用させることで締め付けて、上側分割篩枠７ａと下側分割篩枠７ｂとを締結する。こうして、網換え作業に伴う篩過網４４の取付作業が完了するとともに、振動篩機１Ａとして使用可能な状態となる。このとき、振動篩機１Ａを作動させると、篩枠体７の周辺機器、例えばスイングボルト６１にバンド径調節機構４７が干渉する虞がある場合、篩枠体７を分解してバンド径調節機構４７がスイングボルト６１に干渉しないように網具４０を置き直すような大掛かりな作業を要することになるが、バンド径調節機構４７におけるスピンドル４９のウォーム歯とウォーム溝５０との噛合を解除するようにスピンドル４９を操作することにより、網具フレーム４２に対し締付バンド４５のみを取り外して、バンド径調節機構４７がスイングボルト６１に干渉しないように装着し直すだけで、バンド径調節機構４７のスイングボルト６１への干渉を容易に避けることができる。
【００６４】
＜分級処理動作＞
上記の篩過網４４の取付作業によって使用可能な状態とされた振動篩機１Ａにおいて、分級対象の粉体を上側分割篩枠７ａの中に投入する。次いで、上側分割篩枠７ａに蓋体８を装着し、両者を締付バンド３３にて締結する。そして、左右の振動モータ３０を同期作動させることにより、網具４０上に投下された分級対象の粉体に振動を与えて篩い分ける。
【００６５】
振動モータ３０から篩容器６には、縦方向の振動成分と横方向の振動成分とが伝達され、篩容器６の縦横の振動運動による波動運動で網具４０上の粉体が激しく跳ね上げられ網４３，４４に衝突することで、粉体粒子の凝集が解砕・分散される。かかる分級処理で篩過網４４を通過した粉体は、下側分割篩枠７ｂの排出口２７から外部へと排出される。一方、篩過網４４上に残留している残留粉体は、排出ダクト１４を介して外部へと排出される。
【００６６】
第一実施形態の振動篩機１Ａによれば、網具フレーム４２がその外周面を分割篩枠７ａ，７ｂの径方向外側に向けて露出するように分割篩枠７ａ，７ｂによって挟持されるので、分級対象の粉体の篩い分けに実質的に機能しない網具フレーム１０４が完全に篩枠体１０１（上側分割篩枠１０１ａ）の枠内に配される構成の従来の振動篩機１００（図１１参照）と比べて、粉体の篩い分けに実質的に機能する補強網４３及び篩過網４４の有効面積が広くなるとともに、網具フレーム４２の外周面側に装着される締付バンド４５が分割篩枠７ａ，７ｂの径方向外側に向けて露出されることになる。従って、分級対象の粉体を従来よりも効率良く篩い分けることができるとともに、締付バンド４５が篩枠体７に干渉することなく網具４０を篩枠体７に組み込むことができる。
【００６７】
〔第二実施形態〕
図９には、本発明の第二実施形態に係る振動篩機の要部拡大断面図が示されている。また、図１０には、第二実施形態の振動篩機で使用される網具フレームを示す図で、平面図（ａ）、縦断面図（ｂ）及び篩過網の引張動作を説明するための模式図（ｃ）がそれぞれ示されている。なお、第二実施形態の振動篩機において、第一実施形態の振動篩機と同一又は同様のものについては、図に同一符号を付すに留めてその詳細な説明を省略することとし、以下においては、第二実施形態の振動篩機に特有の部分を中心に説明することとする。
【００６８】
図９に示されるように、第二実施形態の振動篩機１Ｂにおいて、網具７０は、円環状の網具フレーム７２に補強網４３を張設してなる網具本体７１を備えている。ここで、網具フレーム７２は、分割篩枠７ａ，７ｂのフランジ部１１，２１によって挟持される円環状板面部７２ａと、円環状板面部７２ａの外周縁から下方に突設される外側円筒部７２ｃとを有し、断面Ｌ字形の等辺山形鋼、いわゆるアングル材を円環状に曲成し、その両端を溶接してなるものである。こうして、構造上、中空部を有しない円環状板面部７２ａが分割篩枠７ａ，７ｂのフランジ部１１，２１によって挟持されることによって網具４０が篩枠体７に固定されるので、篩枠体７に網具４０を固定する際に網具フレーム７２が使用不可となるまで押し潰されるような変形を確実に防止することができ、網具フレーム７２に緊縛・固定された篩過網４４のテンションが網具フレーム７２の変形に起因して緩むのを未然に防ぐことができる。なお、円環状板面部７２ａが、本発明の「被挟持面部」に相当する。
【００６９】
図１０（ａ）に示されるように、網具フレーム７２において、外径（φＤ）は４００〜１１４０ｍｍの範囲に設定され、内径（φｄ）は３５２〜１０８０ｍｍの範囲に設定されている。
【００７０】
図１０（ｂ）に示されるように、網具フレーム７２は、分割篩枠７ａ，７ｂのフランジ部１１，２１によって挟持される円環状板面部７２ａが、当該網具フレーム７２の中心側から径方向外側に向かって上向きに傾斜するような反りを有する形状に形成されている。この網具フレーム７２における反りの大きさは、円環状板面部７２ａにおける網具フレーム７２の径方向の一方端側と他方端側との高低差ΔＨで規定され、高低差ΔＨが０．５〜１．５ｍｍに設定されている。
【００７１】
このような反りを有する網具フレーム７２が分割篩枠７ａ，７ｂのフランジ部１１，２１によって挟持されると、反りがなくなるように網具フレーム７２が変形し、これに伴って、図１０（ｃ）に示されるように、篩過網４４の全体が網具フレーム４２の径方向外側に適切な張力で引っ張られる。これにより、補強網４３を覆うように網具フレーム４２に被せられた篩過網４４が損傷することなく高いテンションを保った状態で補強網４３に密着されて、篩過網４４が補強網４３によって安定的に支えられることになり、篩過網４４の分級性能が十全に発揮される。従って、第二実施形態の振動篩機１Ｂによっても、第一実施形態の振動篩機１Ａと同様の作用効果を奏する。
【産業上の利用可能性】
【００７２】
本発明の振動篩機は、分級対象の粉体を従来よりも効率良く篩い分けることができるとともに、締付バンドが篩枠体に干渉することなく網具を篩枠体に組み込むことができるという特性を有していることから、例えば、医薬品、食料品、鉱産物、金属、樹脂原材料等の各種の粉体の分級処理の用途に好適に用いることができる。
【符号の説明】
【００７３】
１Ａ，１Ｂ  振動篩機
７          篩枠体
７ａ        上側分割篩枠
７ｂ        下側分割篩枠
１０        上側分割篩枠本体
１１        フランジ部
１３        パッキン
２０        下側分割篩枠本体
２１        フランジ部
２２        パッキン
４０        網具
４１        網具本体
４２        網具フレーム
４２ａ      上側円環状板面部（被挟持面部）
４２ｂ      下側円環状板面部（被挟持面部）
４２ｃ      外側円筒部
４２ｄ      内側円筒部
４３        補強網
４４        篩過網
４５        締付バンド
４６        バンド部材
４７        バンド径調節機構
４８        ハウジング
４９        スピンドル
５０        ウォーム溝
７０        網具
７１        網具本体
７２        網具フレーム
７２ａ      円環状板面部（被挟持面部）
７２ｃ      外側円筒部
【図１】
0006644948.tif 000002
【図２】
0006644948.tif 000003
【図３】
0006644948.tif 000004
【図４】
0006644948.tif 000005
【図５】
0006644948.tif 000006
【図６】
0006644948.tif 000007
【図７】
0006644948.tif 000008
【図８】
0006644948.tif 000009
【図９】
0006644948.tif 000010
【図１０】
0006644948.tif 000011
【図１１】
0006644948.tif 000012